(57)【要約】      （修正有）【課題】制御部を覆うカバーの開放時のインタフェースの取り外しを防止するとともに複数のインタフェースを容易に取り外すことができる電子機器を提供する。【解決手段】制御部と、前記制御部を覆い、機器本体に回動可能に設けた第一のカバー４１および第二のカバー４２と、第一のカバー４１または第二のカバー４２に取付けられたインタフェース取付部６０と、前記第一のカバー４１および第二のカバー４２に設けられた係合孔４５，４８と、前記インタフェース取付部６０に設けられた係合片６４と、を有し、前記係合孔４５，４８に前記係合片６４が係合することにより第一のカバー４１および第二のカバー４２の回動を規制する。【選択図】図４
2006310518.tif 000002
【特許請求の範囲】
【請求項１】
制御部と、
前記制御部を覆い、機器本体に回動可能に設けた第一のカバーおよび第二のカバーと、
第一のカバーまたは第二のカバーに取付けられたインタフェース取付部と、
を有し、
前記インタフェース取付部により第一のカバーおよび第二のカバーの回動を規制することを特徴とする電子機器。
【請求項２】
前記第一のカバーおよび第二のカバーに設けられた係合孔と、
前記インタフェース取付部に設けられた係合片と、を有し、
前記係合孔に前記係合片が係合することにより第一のカバーおよび第二のカバーの回動を規制することを特徴とする請求項１記載の電子機器。
【請求項３】
前記第一のカバーまたは第二のカバーは、第二のカバーまたは第一のカバーと重なる延出片を有し、
前記係合孔の一方を前記延出片に設け、前記係合孔の他方を前記延出片の係合孔と重なる第二のカバーまたは第一のカバーに係合孔が設けられていることを特徴とする請求項２記載の電子機器。                           
【請求項４】
前記インタフェース取付部には、複数のインタフェースが取付けられていることを特徴とする請求項１または２に記載の電子機器。
【発明の詳細な説明】
【技術分野】
【０００１】
本発明は、制御基板等を有する制御部およびインタフェースを備える電子機器に関する。
【背景技術】
【０００２】
一般的な電子機器として、機器の各部を制御する制御部と、電源を供給する電源部を備えた電子機器が知られている。また、コンピュータなどの他の電子機器を接続して通信を可能とするインタフェースを備えることによって、データのやり取りや各種設定の利便性などを向上させた電子機器が知られている。
【０００３】
電子機器のメンテナンスを容易にするため、特別なメンテナンス時のみ取り扱う電源部と、一般ユーザが結線を必要とする制御部を分離して配置し、制御部を開閉する第１の開閉部および電源部を開閉する第２の開閉部を設け、第１の開閉部および第２の開閉部をそれぞれ回動可能とした制御装置が知られている（例えば、特許文献１参照）。
【０００４】
【特許文献１】特開２００１−２７４５６６号公報
【発明の開示】
【発明が解決しようとする課題】
【０００５】
しかしながら、特許文献１において第１の開閉部にインタフェースを設けると、第１の開閉部の開放（回動）動作の際にインタフェースボードが破損する恐れがある。すなわち、インタフェースの一端側にあるインタフェースボードが制御装置本体側に固定され、インタフェースの他端側が第１の開閉部に固定されているので、第１の開閉部を制御装置本体に対して離間する方向に回動するとインタフェースボードが破損してしまう。
このため、第１の開閉部を開放する前に必ずインタフェースを取り外す必要があるが、取り外し忘れにより破損を招いたり、また、複数のインタフェースが設けられている場合は、開放のたびにそれぞれのインタフェースを個々に取り外さなければならず面倒であるという問題があった。
本発明は斯かる問題点に鑑みてなされたものであり、制御部を覆うカバー開放時のインタフェースの取り外し忘れを防止するとともに複数のインタフェースを容易に取り外すことができる電子機器を提供することを目的とする。
【課題を解決するための手段】
【０００６】
本発明に係る電子機器は、制御部と、前記制御部を覆い、機器本体に回動可能に設けた第一のカバーおよび第二のカバーと、第一のカバーまたは第二のカバーに取付けられたインタフェース取付部と、を有し、前記インタフェース取付部により第一のカバーおよび第二のカバーの回動を規制することを特徴とする。
また、前記第一のカバーおよび第二のカバーに設けられた係合孔と、前記インタフェース取付部に設けられた係合片と、を有し、前記係合孔に前記係合片が係合することにより第一のカバーおよび第二のカバーの回動を規制することを特徴とする。
また、前記第一のカバーまたは第二のカバーは、第二のカバーまたは第一のカバーと重なる延出片を有し、前記係合孔の一方を前記延出片に設け、前記係合孔の他方を前記延出片の係合孔と重なる第二のカバーまたは第一のカバーに係合孔が設けられていることを特徴とする。                   
また、前記インタフェース取付部には、複数のインタフェースが取付けられていることを特徴とする。
【発明の効果】
【０００７】
第一のカバーおよび第二のカバーの回動を前記インタフェース取付部により規制することでインタフェース取付部を取り外さないとカバーを回動することができないので、取り外し忘れによるインタフェースの破損を防止することができる。
すなわち、前記第一のカバーまたは第二のカバーに設けた延出片の係合孔およびこの係合孔と重なる第一のカバーまたは第二のカバーに係合孔が設けられ、これら係合孔にインタフェース取付部の係合片が係合することにより、インタフェース取付部を取り外さないとカバーを回動することができないので、取り外し忘れによるインタフェースの破損を防止することができる。
特に、インタフェース取付部に複数のインタフェースが取り付けられていてもそれぞれのインタフェースを取り外す作業が必要なく、インタフェース取付部を取り外すだけでカバーを開放できる。
【発明を実施するための最良の形態】
【０００８】
以下、図面を参照しながら発明を実施するための最良の形態について説明する。
【０００９】
図１は、本発明の電子機器の一例であるプリンタおよびこのプリンタを組み込んだラベル貼付装置の概略斜視図であり、図２はプリンタの印字部を示す側面図である。ラベル貼付装置１は、主としてラベル供給軸２と、プリンタ３と、貼付機構４と、台紙巻取軸５を有している。
【００１０】
ラベル供給軸２は、表面に剥離剤が塗工された台紙７２上に複数のラベル７３を仮着したラベル連続体７１をロール状に巻回したロール紙７０を回転可能に保持する。
【００１１】
プリンタ３は、図２に示す印字部１０と、後述する制御部２０とを有し、中間フレーム５０を境にして正面側（図１の手前側）に印字部１０、後面側（図１の奥側）に制御部２０が配置されている。印字部１０は、センサ１１と、熱転写ユニット１２と、サーマルヘッド１３と、プラテンローラ１４と、剥離板１５を有する。
【００１２】
センサ１１は、発光部および受光部を有し、発光部からラベル連続体７１に向けて照射した光を受光部で受光して、この受光部で受光した光の強弱によってラベル７３の位置を検出する。
【００１３】
熱転写ユニット１２は、リボン供給軸１６およびリボン巻取軸１７を有し、ロール状に巻回された熱転写リボン７５をリボン供給軸１６からサーマルヘッド１３およびプラテンローラ１４を介してリボン巻取軸１７に回動可能に保持し、図示しないモータの駆動によりリボン巻取軸１７を駆動させ熱転写リボン７５を巻き取る。
【００１４】
サーマルヘッド１３は、ラベル７３の幅方向に配置した図示しない発熱抵抗体を発熱させ、熱転写リボン７５のインクをラベル７３に転写することで印字する。
【００１５】
プラテンローラ１４は、図示しないステッピングモータに接続されプラテンローラ１４を１ステップずつ連続して回転駆動させることによってラベル供給軸２からラベル連続体７１を搬送する。
【００１６】
剥離板１５は、鋭角形状に形成され、ラベル連続体７１のうち台紙７２のみの搬送方向を転向させることによって剛性の強いラベル７３を台紙７２上から剥離させる。
【００１７】
貼付機構４は、吸着盤３０と、吸着盤３０を支持するロッド３１および吸着盤３０を上下動させるシリンダ３２備えており、吸着盤３０は図示しない真空装置に連通されている。真空装置の吸引作用によりプリンタ３の剥離板１５で剥離されたラベル７３を吸引保持し、図示しないコンベアで搬送される被貼付物８０に向かってロッド３１および吸着盤３０を移動させ、この吸着盤３０が被貼付物８０の近傍に位置した際に真空装置によりエアー噴射させて被貼付物８０にラベル７３を貼付する。
【００１８】
台紙巻取軸５は、図示しないモータに接続され、モータの駆動により台紙巻取軸５を時計方向に回転させて剥離板１５で転向された台紙７２をロール状に巻回する。
【００１９】
次に、プリンタ３の制御部２０について説明する。図３はプリンタの制御部を覆う開閉カバーを開けた状態を示す斜視図、図４はプリンタの制御部を覆う開閉カバーを閉めた状態を示す斜視図、図５はインタフェース取付部を取り付ける作業を説明するための要部拡大図、図６は開閉カバーにインタフェース取付部を取り付けた状態を示す斜視図である。
【００２０】
図３に示すように制御部２０は中間フレーム５０を境にして印字部と対称位置に設けられ、モータ２１、２１やＣＰＵやメモリが設けられた制御基板などを有している。また、制御部２０は、開閉カバー４０に覆われ、埃や湿気などの外部環境から守られている。
開閉カバー４０は、第一のカバー４１および第二のカバー４２を有し、それぞれ機器本体としてのプリンタ筐体５１と開閉カバー４０に設けられたヒンジ４３、４３により互いに離間する方向に回動可能としている。
【００２１】
第一のカバー４１は、後述するインタフェース６２のインタフェースボード６１を嵌挿する嵌挿孔４４と、後述するインタフェース取付部６０の係合片６４と係合する係合孔４５と、プリンタ筐体５１および第一のカバー４１と第二のカバー４２を相互にネジ６６で固定するための複数のネジ孔４６を有する。
【００２２】
第二のカバー４２は、開閉カバー４０を閉じた状態で第一のカバー４１の内側に重なって位置する延出片４７と、開閉カバー４０を閉じた状態で第一のカバー４１の係合孔４５と同一の位置に位置し、延出片４７に設けられた係合孔４８と、プリンタ筐体５１および第一のカバー４１と第二のカバー４２、インタフェース取付部６０を相互にネジ６６で固定するための複数のネジ孔４９を有する。
尚、延出片４７は第二のカバー４２ではなく、第一のカバー４１に設けても良い。
【００２３】
図３に示す開閉カバー４０が開いた状態から第一のカバー４１および第二のカバー４２をそれぞれ近接する方向に回動させると、図４に示すように第一のカバー４１と第二のカバー４２により制御部２０が覆われ、開閉カバー４０が閉じた状態となる。このとき、第二のカバー４２の延出片４７が第一のカバー４１の内側に重なり、第一のカバー４１の係合孔４５と第二のカバー４２の係合孔４８が同一位置で重なる。この閉じた状態でインタフェース取付部６０が第一のカバー４１に取り付けられる。
【００２４】
インタフェース取付部６０は、インタフェースボード６１を備えたインタフェース６２と、その他のインタフェースを追加できる拡張スロット６３と、係合孔４５、４８に係合する係合片６４と、第一のカバー４１にネジ６６で固定するネジ孔６５を有する。
【００２５】
インタフェース取付部６０の取付方法は、図５に示すように開閉カバー４０を閉めた状態で第一のカバー４１の嵌挿孔４４にインタフェースボード６１を嵌挿すると共に係合片６４を係合孔４５、４８に係合させ、ネジ孔４６、４９、６５にネジ６６を螺合し、図６に示すように第一のカバー４１に固定される。
【００２６】
開閉カバー４０を開ける際には、複数のネジ６６を外してインタフェース取付部６０を取り外し、第一のカバー４１および第二のカバー４２をヒンジ４３により互いに離間する方向に回動する。開閉カバー４０の回動により広く露呈した制御部２０のメンテナンス作業を効率よく行うことが可能となる。
また、インタフェース取付部６０を外さずに開閉カバー４０を開けようとしても第一のカバー４１および第二のカバー４２の係合孔４５、４８にインタフェース取付部６０の係合片６４が係合しているため開閉カバー４０を開けることができない。すなわち、インタフェース取付部６０を取り外さないと開閉カバー４０を開けることができないため開閉カバー４０を開ける際のインタフェースボード６１破損を防止することができる。
【００２７】
尚、他のインタフェースを追加する場合は拡張スロット６３に追加することができる。この場合、開閉カバー４０を開ける際には、それぞれのインタフェースを取り外す必要がなく、インタフェース取付部６０を取り外すだけで良いため取り外し作業効率を向上させることができる。
【００２８】
また、発明を実施するための最良の形態において電子機器として、プリンタを例としたが、制御部を有する電子機器であればよい。
また、発明を実施するための最良の形態において貼付機構として、剥離されたラベルを一旦吸着盤で吸着保持して、ラベルを被貼付物に向けて移動し、エアーでラベルを吹き付けして貼付するエアージェット式としたが、吸着盤で吸引保持したラベルを被貼付物に押圧して貼付する押圧式や剥離されたラベルを貼付ローラで被貼付物に貼付するローラ貼付方式など任意の貼付方式に変更することができる。
また、印字されるラベル連続体７１は、台紙７２に仮着した例で説明したが、台紙のない帯状のラベルであってもよい。この場合には、帯状のラベルを切断するカッターを設けることができる。
【図面の簡単な説明】
【００２９】
【図１】プリンタおよびこのプリンタを組み込んだラベル貼付装置の概略斜視図
【図２】プリンタの印字部の側面図
【図３】プリンタの制御部を覆う開閉カバーを開けた状態を示す斜視図
【図４】プリンタの制御部を覆う開閉カバーを閉めた状態を示す斜視図
【図５】インタフェース取付部を取り付ける作業を説明するための要部拡大図
【図６】開閉カバーにインタフェース取付部を取り付けた状態を示す斜視図
【符号の説明】
【００３０】
１    ラベル貼付装置
２    ラベル供給軸
３    プリンタ
４    貼付機構
５    台紙巻取軸
１０  印字部
１１  センサ
１２  熱転写ユニット
１３  サーマルヘッド
１４  プラテンローラ
１５  剥離板
１６  リボン供給軸
１７  リボン巻取軸
２０  制御部
２１  モータ
３０  吸着盤
３１  ロッド
３２  シリンダ
４０  開閉カバー
４１  第一のカバー
４２  第二のカバー
４３  ヒンジ
４４  嵌挿孔
４５、４８  係合孔
４６、４９、６５  ネジ孔
４７  延出片
５０  中間フレーム
５１  プリンタ筐体
６０  インタフェース取付部
６１  インタフェースボード
６２  インタフェース
６３  拡張スロット
６４  係合片
６６  ネジ
７０  ロール紙
７１  ラベル連続体
７２  台紙
７３  ラベル
７５  熱転写リボン
８０  被貼付物
【図１】
2006310518.tif 000003
【図２】
2006310518.tif 000004
【図３】
2006310518.tif 000005
【図４】
2006310518.tif 000006
【図５】
2006310518.tif 000007
【図６】
2006310518.tif 000008